(57)【要約】【課題】従来、この種の誘導電動機の回転子は積層電磁鋼板からなる回転子鉄心のエンドリング部を複数突起部で構成されていた。前記従来の構成では、エンドリング部の突起部だけでは、誘導電動機内の空気を循環できないため回転子の及び固定子の巻線の温度上昇が高くなるという課題を有していた。【解決手段】積層電磁鋼板からなる回転子２に複数の貫通穴５を有し、貫通穴５の近傍に複数の羽根片６，８を有することにより、誘導電動機内の空気を循環させることができ、簡易な構成で安価、かつ冷却性能を向上させた誘導電動機を提供することが可能となる。【選択図】図１
2006042543.tif 000002
【特許請求の範囲】
【請求項１】
ベアリングを介して回転自由に保持された積層電磁鋼板からなる回転子と、前記ベアリングを保持するブラケットと、前記ブラケットにより挟み込まれた固定子を有する誘導電動機であって、前記回転子に複数の貫通穴を有し、貫通穴の近傍に片側もしくは、両側に複数の羽根片を有する構造としたことを特徴とする誘導電動機。
【請求項２】
回転子の回転方向に対し貫通穴の前後に羽根片を取り付けた構造とする請求項１記載の誘導電動機。
【請求項３】
回転子の回転方向に対し羽根片の角度を変化させた構造とする請求項１に記載の誘導電動機。
【請求項４】
羽根片を耐熱性の樹脂により構成した請求項１に記載の誘導電動機。
【請求項５】
羽根片を積層電磁鋼板により構成した請求項１に記載の誘導電動機。
【請求項６】
請求項１〜５のいずれか１項の誘導電動機を用いた空気調和機。
【発明の詳細な説明】
【技術分野】
【０００１】
本発明は、空気調和機等に用いられる誘導電動機の回転子の放熱構造に関するものである。
【背景技術】
【０００２】
従来、この種の誘導電動機の回転子は、図８に示すように積層電磁鋼板からなる回転子１０１のエンドリング部１０２を複数突起部１０３で構成されていた（例えば、特許文献１参照）。
【特許文献１】特開２０００−６００４５号公報
【発明の開示】
【発明が解決しようとする課題】
【０００３】
しかしながら、前記従来の構成では、エンドリング部１０２の突起部１０３だけでは、誘導電動機内の空気を循環できないため、回転子及び固定子の巻線の温度上昇が高くなるという課題を有していた。
【０００４】
本発明は、前記従来の課題を解決するもので、積層電磁鋼板からなる回転子に片側もしくは、両側に複数の貫通穴を有し、貫通穴の近傍に複数の羽根片を有することにより、誘導電動機内の空気を循環させることができ、簡易な構成で安価、かつ冷却性能を向上させた誘導電動機を提供することを目的とする。
【課題を解決するための手段】
【０００５】
前記従来の課題を解決するために、本発明の誘導電動機は、ベアリングを介して回転自由に保持された積層電磁鋼板からなる回転子と、前記ベアリングを保持するブラケットと、前記ブラケットにより挟み込まれた固定子を有する誘導電動機であって、前記回転子に片側もしくは、両側に複数の貫通穴を有し、貫通穴の近傍に複数の羽根片を有する構造とする。また、羽根片の取付け位置及び取付け角度を変化させることにより、より放熱効果が向上する。
【発明の効果】
【０００６】
本発明の誘導電動機の回転子に片側もしくは、両側に複数の貫通穴を有し、貫通穴の近傍に複数の羽根片を有する構造とすることにより、複数の貫通穴と羽根片により誘導電動機内の空気が羽根片により貫通穴を通り循環することができる。空気が循環することにより、回転子及び固定子の巻線の温度を下げることができる。また、羽根片の取付け位置及び取付け角度を変化させることにより、より循環効率が高まり放熱効果が向上する。
【発明を実施するための最良の形態】
【０００７】
第１の発明は、ベアリングを介して回転自由に保持された積層電磁鋼板からなる回転子と、前記ベアリングを保持するブラケットと、前記ブラケットにより挟み込まれた固定子を有する誘導電動機であって、前記回転子に片側もしくは、両側に複数の貫通穴を有し、貫通穴の近傍に複数の羽根片を有する構造とする。複数の貫通穴と羽根片により誘導電動機内の空気が羽根片により貫通穴を通り循環することができる。空気が循環することにより、回転子及び固定子の巻線の温度を下げることができる。
【０００８】
第２の発明は、回転子の回転方向に対し貫通穴の前後に羽根片を取り付けた構造とすることにより空気の循環効率が高まり、より回転子及び固定子の巻線の温度を下げることができる。
【０００９】
第３の発明は、回転子の回転方向に対し羽根片の角度を変化させた構造とすることによりより空気の循環効率が高まり、より回転子及び固定子の巻線の温度を下げることができる。
【００１０】
第４の発明は、羽根片を耐熱樹脂等により構成することにより、形状を自由にかえられることができ、より空気の循環効率を高め、回転子及び固定子の巻線の温度を下げることができる。
【００１１】
第５の発明は、積層された電磁鋼板の両側面により羽根片を構成することにより安価な構成にて羽根片を作成することができる。
【００１２】
第６の発明は、上記１〜５の発明の誘導電動機を、室外機に使用した空気調和機である。空気調和機の室外機は、冷房運転時熱交換器により高温となり送風ファンにより誘導電動機に高温の風があたり、誘導電動機の内部温度が上昇する。誘導電動機の回転子に片側もしくは、両側に複数の貫通穴を有し、貫通穴の近傍に複数の羽根片を有する構造とすることにより誘導電動機内の空気が羽根片により貫通穴を通り循環することができる。空気が循環することにより、回転子及び固定子の巻線の温度を下げることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における誘導電動機の部分断面図、図２は回転子の断面図、図３は回転子の端面図を示す。これらの図において、ベアリング１をして回転自由に保持された積層電磁鋼板からなる回転子２、前記ベアリング１を保持するブラケットＡ３、Ｂ４、前記ブラケットＡ３、Ｂ４より挟み込まれた固定子の巻線７を有する誘導電動機であって、前記回転子２にΦ１０ｍｍの貫通穴５を４個有し、貫通穴５近傍に高さ８ｍｍ、幅１０ｍｍの羽根片６有する。回転子２回転により誘導電動機内の空気が羽根片６に当り、貫通穴５通りぬけ空気を循環し、空気が循環することにより、回転子２及び固定子の巻線７の温度を下げることができる。
【００１５】
（実施の形態２）
図４は本発明の実施の形態２の断面図を示す。図４において、空気の流れにより羽根片Ａ６ａ、Ｂ８ｂの取付け位置を変える。例えば、出力軸側から反出力軸側へ空気が流れ、回転方向は、出力軸より見た回転方向が右廻りとすると、出力軸側の羽根片Ａ６ａは貫通穴５ａに対し下側とする。また、反出力軸側の羽根片Ｂ８ｂは出力軸から見て上側とする。回転子２ａが回転することにより、空気が羽根片６ａに当り貫通穴を通し出力軸側から、反出力軸側へ流れやすくなる。羽根片Ａ６ａ、Ｂ８ｂを空気の流れにより上下別々に取り付けることにより空気の循環効率が高めることができる。循環効率が高まることにより回転子２ａ及び固定子の巻線７の温度を下げることができる。
【００１６】
（実施の形態３）
図５は本発明の実施の形態３の断面図を示す。図５において、前記実態の形態１と羽根片に角度において相違し、その他の点では実施の形態１と同様である。実施の形態３の羽根片Ａ６ｂ、Ｂ８ｂを回転方向に対し４５°傾けた構造とする。羽根片Ａ６ｂ、Ｂ８ｂを傾けることにより、より空気の循環効率が高めることができる。循環効率が高まることにより回転子２ｂ及び固定子の巻線７の温度を下げることができる。
【００１７】
（実施の形態４）
図６は本発明の実施形態４の断面図を示す。図６において、羽根片Ａ６ｃ、Ｂ８ｃを耐熱樹脂により成形することに、半円状の形状にすることができる。耐熱樹脂により羽根片の形状を自由にかえられることができ、より空気の循環効率を高めることができる。循環効率が高まることにより回転子２ｃ及び固定子の巻線７の温度を下げることができる。
【００１８】
（実施の形態５）
図７は本発明の実施の形態５の断面図を示す。図７において、積層された電磁鋼板９ｄの両側面の一枚を金型等により羽根片Ａ６ｄ、Ｂ８ｄを構成する。電磁鋼板９ｄを使用することに安価な構成にて羽根片Ａ６ｄ、Ｂ８ｄを作成することができる。
【００１９】
（実施の形態６）
上記実施の形態１〜５の誘導電動機は空気調和機の室外機に使用されるのが好ましい。空気調和機の室外機は、冷房運転時熱交換器により高温となり送風ファンにより誘導電動機に風があたり、誘導電動機の内部温度が上昇する。誘導電動機の回転子に片側もしくは、両側に複数の貫通穴を有し、貫通穴の近傍に複数の羽根片を有する構造とすることにより誘導電動機内の空気が羽根片により貫通穴を通り循環することができる。空気が循環することにより、回転子及び固定子の巻線の温度を下げることができる。本発明の誘導電動機を空気調和機用室外機に使用すると本発明の効果がより顕著に発現する。
【産業上の利用可能性】
【００２０】
以上のように、本発明にかかる誘導電動機の回転子に複数の貫通穴を有し、貫通穴の近傍に複数の羽根片を有する構造とすることにより、複数の貫通穴と羽根片により誘導電動機内の空気が羽根片により貫通穴を通り循環することができる。空気が循環することにより、回転子及び固定子の巻線の温度を下げることができる。また、羽根片の取付け位置及び取付け角度を変化させることにより、より循環効率が高まり放熱効果が向上するため、空気調和機の室外機用モ−タ等の用途に有用である。
【図面の簡単な説明】
【００２１】
【図１】本発明の実施の形態１における誘導電動機の部分断面図
【図２】本発明の実施の形態１における回転子の断面図
【図３】本発明の実施の形態１における回転子の端面図
【図４】本発明の実施の形態２における回転子の断面図
【図５】本発明の実施の形態３における回転子の断面図
【図６】本発明の実施の形態４における回転子の端面図
【図７】本発明の実施の形態５における回転子の断面図
【図８】従来の誘導電動機の部分断面図
【符号の説明】
【００２２】
１  ベアリング
２  回転子
３  ブラケットＡ
４  ブラケットＢ
５  貫通穴
６  羽根片Ａ
７  巻線（固定子）
８  羽根片Ｂ
９ｄ  電磁鋼板
【図１】
2006042543.tif 000003
【図２】
2006042543.tif 000004
【図３】
2006042543.tif 000005
【図４】
2006042543.tif 000006
【図５】
2006042543.tif 000007
【図６】
2006042543.tif 000008
【図７】
2006042543.tif 000009
【図８】
2006042543.tif 000010